【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
第１の面積比率で分割された第１の画素、および、該第１の面積比率とは異なる第２の面積比率で分割された第２の画素を含む撮像素子と、
前記第１の画素の出力信号と前記第２の画素の出力信号との差分に基づいて焦点検出を行う焦点検出手段と、を有することを特徴とする撮像装置。
【請求項２】
前記第１の画素および前記第２の画素は、互いに隣接して配置されていることを特徴とする請求項１に記載の撮像装置。
【請求項３】
前記第１の画素および前記第２の画素は、前記撮像素子の撮像面の中心を基準とした円周方向に沿って配置されていることを特徴とする請求項１または２に記載の撮像装置。
【請求項４】
前記第１の画素および前記第２の画素は、前記撮像素子の撮像面の中心を基準として第１の方向に位置する領域において、該第１の方向と直交する第２の方向に沿って配置されていることを特徴とする請求項１乃至３のいずれか１項に記載の撮像装置。
【請求項５】
前記撮像素子は、第３の面積比率で分割された第３の画素を更に含み、
前記第１の画素は、前記第１の面積比率が１：３である第１の分割画素および第２の分割画素を有し、
前記第２の画素は、前記第２の面積比率が１：１である第３の分割画素および第４の分割画素を有し、
前記第３の画素は、前記第３の面積比率が３：１である第５の分割画素および第６の分割画素を有する、ことを特徴とする請求項１乃至４のいずれか１項に記載の撮像装置。 
【請求項６】
前記焦点検出手段は、
前記第１の分割画素の出力信号を第１の瞳分割信号とし、
前記第３の分割画素の出力信号と前記第１の分割画素の出力信号との差分、または、前記第２の分割画素の出力信号と前記第４の分割画素の出力信号との差分を第２の瞳分割信号とし、
前記第４の分割画素の出力信号と前記第６の分割画素の出力信号との差分、または、前記第５の分割画素の出力信号と前記第３の分割画素の出力信号との差分を第３の瞳分割信号とし、
前記第６の分割画素の出力信号を第４の瞳分割信号として取得可能に構成されており、前記第１の瞳分割信号、前記第２の瞳分割信号、前記第３の瞳分割信号、および、前記第４の瞳分割信号の少なくとも二つに基づいて前記焦点検出を行うことを特徴とする請求項５に記載の撮像装置。
【請求項７】
前記焦点検出手段は、絞り値または瞳位置に応じて選択された、前記第１の瞳分割信号、前記第２の瞳分割信号、前記第３の瞳分割信号、および、前記第４の瞳分割信号の少なくとも二つに基づいて前記焦点検出を行うことを特徴とする請求項６に記載の撮像装置。 
【請求項８】
前記焦点検出手段は、
前記絞り値が所定の絞り値以下である場合、前記第１の瞳分割信号および前記第４の瞳分割信号に基づいて前記焦点検出を行い、
前記絞り値が前記所定の絞り値よりも大きい場合、前記第２の瞳分割信号および前記第３の瞳分割信号に基づいて前記焦点検出を行う、ことを特徴とする請求項７に記載の撮像装置。
【請求項９】
前記焦点検出手段は、
前記瞳位置が所定の瞳位置よりも前記撮像素子に近い場合、前記第１の瞳分割信号および前記第３の瞳分割信号に基づいて前記焦点検出を行い、
前記瞳位置が前記所定の瞳位置よりも前記撮像素子から遠い場合、前記第２の瞳分割信号および前記第４の瞳分割信号に基づいて前記焦点検出を行う、ことを特徴とする請求項７または８に記載の撮像装置。
【請求項１０】
前記第１の画素は、前記第１の面積比率が１：３：１である第１の分割画素、第２の分割画素、および、第３の分割画素を有し、
前記第２の画素は、前記第２の面積比率が２：１：２である第４の分割画素、第５の分割画素、および、第６の分割画素を有する、ことを特徴とする請求項１乃至４のいずれか１項に記載の撮像装置。
【請求項１１】
前記焦点検出手段は、
前記第１の分割画素の出力信号を第１の瞳分割信号とし、
前記第４の分割画素の出力信号と前記第１の分割画素の前記出力信号との差分を第２の瞳分割信号とし、
前記第５の分割画素の出力信号を第３の瞳分割信号とし、
前記第６の分割画素の出力信号と前記第３の分割画素の出力信号との差分を第４の瞳分割信号とし、
前記第３の分割画素の前記出力信号を第５の瞳分割信号として取得可能に構成されており、
前記第１の瞳分割信号、前記第２の瞳分割信号、前記第３の瞳分割信号、前記第４の瞳分割信号、および、前記第５の瞳分割信号の少なくとも二つに基づいて前記焦点検出を行うことを特徴とする請求項１０に記載の撮像装置。
【請求項１２】
前記焦点検出手段は、絞り値または瞳位置に応じて選択された、前記第１の瞳分割信号、前記第２の瞳分割信号、前記第３の瞳分割信号、前記第４の瞳分割信号、および、前記第５の瞳分割信号の少なくとも二つに基づいて前記焦点検出を行うことを特徴とする請求項１１に記載の撮像装置。
【請求項１３】
前記撮像素子は、前記第１の画素および前記第２の画素を含む複数の焦点検出画素と、複数の撮影画素とを有し、
前記複数の焦点検出画素は、撮影光学系の互いに異なる瞳領域を通過する光束を受光して像信号を出力し、
前記複数の撮影画素は、前記撮影光学系の同一の瞳領域を通過した光束を受光して像信号を出力する、ことを特徴とする請求項１乃至１２のいずれか１項に記載の撮像装置。
【請求項１４】
第１の面積比率で分割された第１の画素、および、該第１の面積比率とは異なる第２の面積比率で分割された第２の画素を含む撮像素子からの出力信号に基づいて焦点検出を行う撮像装置の制御方法であって、
前記第１の画素の出力信号と前記第２の画素の出力信号との差分を算出するステップと、
前記差分に基づいて前記焦点検出を行うステップと、を有することを特徴とする撮像装置の制御方法。
【請求項１５】
第１の面積比率で分割された第１の画素、および、該第１の面積比率とは異なる第２の面積比率で分割された第２の画素を含む撮像素子からの出力信号に基づいて焦点検出を行うためのプログラムであって、
前記第１の画素の出力信号と前記第２の画素の出力信号との差分を算出するステップと、
前記差分に基づいて前記焦点検出を行うステップと、をコンピュータに実行させるように構成されていることを特徴とするプログラム。
【請求項１６】
請求項１５に記載のプログラムを記憶していることを特徴とする記憶媒体。
【手続補正２】
【補正対象書類名】明細書
【補正対象項目名】０００７
【補正方法】変更
【補正の内容】
【０００７】
本発明の一側面としての撮像装置は、第１の面積比率で分割された第１の画素、および、該第１の面積比率とは異なる第２の面積比率で分割された第２の画素を含む撮像素子と、前記第１の画素の出力信号と前記第２の画素の出力信号との差分に基づいて焦点検出を行う焦点検出手段とを有する。
【手続補正３】
【補正対象書類名】明細書
【補正対象項目名】０００８
【補正方法】変更
【補正の内容】
【０００８】
本発明の他の側面としての撮像装置の制御方法は、第１の面積比率で分割された第１の画素、および、該第１の面積比率とは異なる第２の面積比率で分割された第２の画素を含む撮像素子からの出力信号に基づいて焦点検出を行う撮像装置の制御方法であって、前記第１の画素の出力信号と前記第２の画素の出力信号との差分を算出するステップと、前記差分に基づいて前記焦点検出を行うステップと、を有する。
【手続補正４】
【補正対象書類名】明細書
【補正対象項目名】０００９
【補正方法】変更
【補正の内容】
【０００９】
本発明の他の側面としてのプログラムは、第１の面積比率で分割された第１の画素、および、該第１の面積比率とは異なる第２の面積比率で分割された第２の画素を含む撮像素子からの出力信号に基づいて焦点検出を行うためのプログラムであって、前記第１の画素の出力信号と前記第２の画素の出力信号との差分を算出するステップと、前記差分に基づいて前記焦点検出を行うステップと、をコンピュータに実行させるように構成されている。